(57)【特許請求の範囲】
【請求項１】
吸気口及び該吸気口が設けられた側と対向する面の上部に排出口が形成された筐体と、
該筐体に着脱可能に取付けられ、前記吸気口を通じて前記筐体内に外気を強制的に取込む吸気部と、
前記筐体内に前記吸気口と連通して設けられ、前記吸気部で取込まれた外気を一時的に滞留させる滞留部と、
前記筐体内に前記滞留部及び前記排出口と連通して設けられ、内部で前駆体から生成される気体状の害虫駆除成分が前記筐体の内側上部に上昇可能に上部が開口した害虫駆除成分生成部とを備え、
前記滞留部の一部を構成し、前記滞留部から前記害虫駆除成分生成部の上方へ外気が流入する流路の途中に、同害虫駆除成分生成部の上端から立設し、かつ、その先端は同筐体の内側上面と所定の距離で離間し隙間を形成して設けられ、同害虫駆除成分生成部の上方へ流入する外気の一部の流れを遮って、前記隙間から同害虫駆除成分生成部の上方へ流入した外気と前記害虫駆除成分とを混合させて前記筐体の内側上面に沿って流れる混合気体の流路を形成する遮蔽板が設けられた
害虫駆除装置。
【請求項２】
前記害虫駆除成分生成部は、前記筐体内に取外し可能に取付けられる
請求項１に記載の害虫駆除装置。
【請求項３】
前記害虫駆除成分の前記前駆体が配置された前記害虫駆除成分生成部を加熱する加熱部を有する
請求項１又は請求項２に記載の害虫駆除装置。
【請求項４】
前記害虫駆除成分はギ酸である
請求項１、請求項２又は請求項３に記載の害虫駆除装置。
【請求項５】
筐体内に設けられた害虫駆除成分生成部に害虫駆除成分の前駆体を配置する配置工程と、
該配置工程で前記前駆体が配置された前記害虫駆除成分生成部を内部に入れた状態で前記筐体を略閉塞する閉塞工程と、
該閉塞工程で略閉塞された前記筐体内で前記前駆体から生成された気体状の前記害虫駆除成分を同筐体の内側上部に上昇させる害虫駆除成分生成工程と、
該害虫駆除成分生成工程で生成された前記害虫駆除成分が、前記筐体に設けられた吸気口から流出するのを確認する確認工程と、
吸気部から取込まれて同筐体内の滞留部で一時的に滞留して流れが緩やかになった外気の一部を、前記滞留部から前記害虫駆除成分生成部の上方へ外気が流入する流路の途中に、同害虫駆除成分生成部の上端から立設し、かつ、その先端は同筐体の内側上面と所定の距離で離間し隙間を形成して設けられた遮蔽板で遮って、前記遮蔽板を乗り越えて前記隙間から流入した外気と前記害虫駆除成分とを混合した混合気体を前記筐体の内側上面に沿って流し、前記吸気口が設けられた面と対向する面の上部に設けられた排出口を通じて前記筐体外へ排出する排出工程と、
該排出工程で排出された前記混合気体を害虫に向けて噴霧する噴霧工程とを備える
害虫駆除方法。
【発明の詳細な説明】
【技術分野】
【０００１】
本発明は、害虫駆除装置及び害虫駆除方法に関する。詳しくは、簡単な操作で、害虫を容易に駆除することができる害虫駆除装置及び害虫駆除方法に係るものである。
【背景技術】
【０００２】
ミツバチ（主にセイヨウミツバチ）は、いちごやメロンなどの果菜類栽培の花粉交配作業の重要な担い手となっているが、近年、その個体数が減少してきている。このため、養蜂業者から供給されるミツバチの値段も高騰し、生産農家が花粉を運ぶミツバチを充分に確保できないことが問題となっている。
【０００３】
ミツバチが減少する理由については、諸説あるが、害虫を原因とする見解が有力である。害虫に蛹の時期に寄生されたミツバチには、成虫の矮小化、羽が縮れて飛ぶことができなくなる、あるいは発育途中で死亡するなどの症状が現れる。
【０００４】
このため、特許文献１に示すように、フェンピロキシメートを用いた「ミツバチ集団における寄生虫防除組成物及び防除方法」が提案されている。この発明は、殺ダニ剤として有用であることが知られている化合物であるフェンピロキシメートを有効成分として含有する担体にミツバチが接触することにより、ミツバチ虫体に有効成分が付着し、更にミツバチ集団内での活動により他のミツバチへ有効成分が拡散し、ミツバチ集団全体の寄生虫防除を可能とするものである。
【先行技術文献】
【特許文献】
【０００５】
【特許文献１】特開２００６−１２４３７７号  公報
【発明の概要】
【発明が解決しようとする課題】
【０００６】
しかしながら、上記の発明では、担体に有効成分を担持又は塗布したものを巣箱内に設置する場合には全ての巣箱を開けて有効成分を含有する担体を設置しなくてはならないため、手間であった。
【０００７】
本発明は以上の点に鑑みて創案されたものであり、簡単な操作で、害虫を容易に駆除することができる害虫駆除装置及び害虫駆除方法を提供することを目的とする。
【課題を解決するための手段】
【０００８】
上記課題を解決するために、本発明の害虫駆除装置は、第１の開口部及び第２の開口部が形成された筐体と、該筐体に着脱可能に取付けられ、前記第１の開口部を通じて前記筐体内に外気を強制的に取込む吸気部と、前記筐体内に前記第１の開口部と連通して設けられ、前記吸気部で取込まれた外気を一時的に滞留させる滞留部と、前記筐体内に前記滞留部及び前記第２の開口部と連通して設けられ、害虫駆除成分を生成する害虫駆除成分生成部とを備える。
【０００９】
ここで、第１の開口部及び第２の開口部が形成された筐体と、筐体内に第１の開口部と連通して設けられた滞留部と、筐体内に滞留部及び第２の開口部と連通して設けられた害虫駆除成分生成部によって、第１の開口部や第２の開口部以外から、生成された害虫駆除成分が筐体外に容易に漏れ出ることを抑制できる。また、害虫駆除成分が人間にとって有害な場合であっても、害虫駆除成分を人間（作業者）が吸い込むことを抑止でき、害虫駆除成分を安全に取り扱うことができる。
【００１０】
また、第１の開口部が形成された筐体と、筐体内に第１の開口部と連通して設けられた滞留部と、筐体内に滞留部と連通して設けられた害虫駆除成分生成部によって、害虫駆除成分生成部で生成された害虫駆除成分は筐体内で徐々に拡散し、滞留部を介して一部は第１の開口部から筐体外へ流出する。これにより、筐体内で害虫駆除成分が生成されたことを筐体外から目視により確認することができる。よって、わざわざ筐体を開けて害虫駆除成分が生成されたか否かを確認する手間を省くことができる。
【００１１】
また、第１の開口部を通じて筐体内に外気を強制的に取込む吸気部と、筐体内に第１の開口部と連通して設けられ、吸気部で取込まれた外気を一時的に滞留させる滞留部によって、害虫駆除成分の原料に、吸気部で取込まれた勢いのある外気が直接吹付けられて原料が筐体内で舞上がり、排出部から排出されることを抑止できる。よって、外気を取込む強さを細かく設定しなくても、筐体内で外気の流れを緩やかにすることができるので、操作が簡単である。
【００１２】
また、筐体に着脱可能に取付けられる吸気部によって、上述したように、第１の開口部から害虫駆除成分が流出する際、予め吸気部を筐体から取り外しておくことで害虫駆除成分が吸気部に掛からないようにすることができる。吸気部に害虫駆除成分がかかると、吸気部が劣化する場合があるからである。
【００１３】
また、第１の開口部及び第２の開口部が形成された筐体と、第１の開口部を通じて筐体内に外気を強制的に取込む吸気部と、筐体内に第１の開口部と連通して設けられた滞留部と、滞留部及び第２の開口部と連通して設けられ、害虫駆除成分を生成する害虫駆除成分生成部によって、第１の開口部で取込まれた外気は、滞留部及び害虫駆除成分生成部を通って第２の開口部に向かうので、この外気の流れを利用して、害虫駆除成分生成部で生成された害虫駆除成分を外気と共に混合気体として筐体外へ排出することができる。よって、混合気体を排出するための操作が不要であるので、簡単に操作することができる。
【００１４】
また、害虫駆除装置が、吸気部による強制的な外気の取込みによって、害虫駆除成分生成部で生成された害虫駆除成分と外気との混合気体を、第２の開口部を通じて筐体外に排出する場合には、混合気体は吸気部から取込まれた外気の流れを利用して、排出口から筐体外へ排出される。
【００１５】
また、害虫駆除成分生成部が、内部に害虫駆除成分の前駆体が配置される場合には、害虫駆除成分生成部の内部で、害虫駆除成分の前駆体から害虫駆除成分を生成することができる。
【００１６】
また、害虫駆除成分生成部が、筐体内に取外し可能に取付けられる場合には、害虫駆除成分生成部が腐食などにより劣化した際、容易に取替えることができる。
【００１７】
また、害虫駆除成分の前駆体が配置された害虫駆除成分生成部を加熱する加熱部を有する場合には、加熱部によって与えられた熱エネルギーを利用して、前駆体から害虫駆除成分を生成することが可能となる。そして、加熱温度の調整をする手間を省くことができるので、操作が簡単である。
【００１８】
また、筐体が、滞留部から流入する外気の流れに略直交して遮蔽板が設けられる場合には、滞留部から流入する外気の流れの一部が遮風板によって遮られるので、滞留部によって一時的に外気を滞留させて流れを緩やかにした外気の一部のみを害虫駆除成分生成部に流入させることができる。これにより、多量の外気が流入することで、害虫駆除成分の原料が筐体内で舞上がり、排出口から排出されてしまうことを抑止できる。
【００１９】
また、害虫駆除成分がギ酸である場合には、害虫が耐性を持ちにくいので、長期にわたる使用が可能である。
【００２０】
また、上記課題を解決するために、本発明の害虫駆除方法は、筐体内に設けられた害虫駆除成分生成部に害虫駆除成分の前駆体を配置する配置工程と、該配置工程で前記前駆体が配置された前記害虫駆除成分生成部を内部に入れた状態で前記筐体を略閉塞する閉塞工程と、該閉塞工程で略閉塞された前記筐体内の前記害虫駆除成分生成部を加熱して前記前駆体から害虫駆除成分を生成する害虫駆除成分生成工程と、該害虫駆除成分生成工程で生成された前記害虫駆除成分が、前記筐体に設けられた第１の開口部から流出するのを確認する確認工程と、該確認工程で、前記第１の開口部から前記害虫駆除成分が流出するのを確認した後、外気を前記第１の開口部を通じて前記筐体内に吸気する吸気部により、同第１の開口部に向けて外気を送りながら、前記吸気部を同第１の開口部に取付けて吸気を開始することによって、同吸気部で取込まれた外気を同筐体内で一時的に滞留させると共に、前記外気と前記害虫駆除成分生成工程で生成された前記害虫駆除成分との混合気体を、前記筐体に設けられた第２の開口部を通じて前記筐体外へ排出する排出工程と、該排出工程で排出された前記混合気体を害虫に向けて噴霧する噴霧工程とを備える。
【００２１】
ここで、筐体内に設けられた害虫駆除成分生成部に害虫駆除成分の前駆体を配置する配置工程、及び配置工程で前駆体が配置された害虫駆除成分生成部を内部に入れた状態で筐体を略閉塞する閉塞工程によって、生成された害虫駆除成分が、容易に筐体外に漏れ出ることを抑制できる。
【００２２】
また、閉塞工程で略閉塞された筐体内の害虫駆除成分生成部を加熱して前駆体から害虫駆除成分を生成する害虫駆除成分生成工程によって、加熱部によって与えられた熱エネルギーを利用して、前駆体から害虫駆除成分を生成することが可能となる。よって、加熱温度の調整をする手間を省くことができるので、操作が簡単である。
【００２３】
また、害虫駆除成分生成工程で生成された害虫駆除成分が、筐体に設けられた第１の開口部から流出するのを確認する確認工程によって、害虫駆除成分が害虫駆除成分生成部内で生成されたことを筐体外から確認できる。
【００２４】
また、確認工程で、第１の開口部から害虫駆除成分が流出するのを確認した後、外気を第１の開口部を通じて筐体内に吸気する吸気部により、第１の開口部に向けて外気を送りながら、吸気部を第１の開口部に取付けて吸気を開始することによって、吸気部で取込まれた外気を筐体内で一時的に滞留させると共に、外気と害虫駆除成分生成工程で生成された害虫駆除成分との混合気体を、筐体に設けられた第２の開口部を通じて筐体外へ排出する排出工程によって、筐体内に外気を取込むことができるだけでなく、第１の開口部から流出する害虫駆除成分を筐体内に押戻しながら、吸気部を第１の開口部に取付けて吸気を開始することができるので、害虫駆除成分が吸気部にかかることで吸気部の劣化を抑制できる。
【００２５】
また、排出工程によって、筐体内に取込まれた外気が一時的に筐体内で滞留することで、外気の流れは緩やかになる。これにより、害虫駆除成分生成部内に配置された害虫駆除成分の前駆体に、吸気部から取込まれた勢いのある外気が直接吹付けられて、前駆体が筐体内で舞上がり、第２の開口部から排出されることを抑止できる。また、筐体内の外気の流れの強さを調整する手間を省くことができるので、操作が簡単である。
【００２６】
また、排出工程によって、外気と害虫駆除成分の混合気体は、第１の開口部から取込まれた外気の流れを利用して、第２の開口部から筐体外へ排出される。
【００２７】
また、排出工程で排出された混合気体を害虫に向けて噴霧する噴霧工程によって、吸気部で取込まれた外気の流れを利用して排出された害虫駆除成分を含む混合気体を害虫に噴霧して、容易に害虫を駆除することができる。
【発明の効果】
【００２８】
本発明に係る害虫駆除器及び害虫駆除方法は、簡単な操作で、害虫を容易に駆除することができる害虫駆除器及び害虫駆除方法となっている。
【図面の簡単な説明】
【００２９】
【図１】本発明の実施の形態に係るダニ駆除装置Ａの斜視図である。
【図２】本発明の実施の形態に係るダニ駆除装置Ａの分解斜視図である。
【図３】本発明の実施の形態に係るダニ駆除装置Ａの説明図である。
【図４】ダニ駆除装置Ａを用いて巣Ｃ箱に混合気体を噴霧する状態を表した使用状態説明図である。
【図５】本発明の実施の形態に係るダニ駆除方法のフローチャートである。
【発明を実施するための形態】
【００３０】
以下、本発明のダニ駆除装置Ａについて図１ないし図５を参照しながら説明し、本発明の理解に供する。
【００３１】
まず、本実施例のダニ駆除装置Ａの形態について図１及び図２を用いて説明する。
ダニ駆除装置Ａは、ステンレス製の筐体Ａ１、筐体Ａ１を載置する載置台Ａ２及び載置台Ａ２に取付けられた取っ手Ａ３を有する。また、筐体Ａ１は、蓋部Ａ１０及び容器体Ａ１１から成り、蓋部Ａ１０は、容器体Ａ１１に固定手段Ａ１２により固定され、蓋部Ａ１０を閉じることで筐体Ａ１を略閉塞できる。また、容器体Ａ１１内には、容器体Ａ１１内に隣接する二つの空間に分ける遮蔽板Ａ１３が設けられている。
【００３２】
なお、筐体Ａ１は、後述する、第１の開口部の一例であり、容器体Ａ１１に設けられた吸気口Ａ１１ｅ、第２の開口部の一例であり、蓋体Ａ１０に設けられた排出口Ａ１０ｃ、及び容器体Ａ１１の、排出口Ａ１０ｃが設けられた側の、容器体Ａ１１の側面Ａ１１ｇの下部に４つの排出小孔Ａ１１ｈが開口しているため、完全に閉塞されるのではなく、略閉塞される。
【００３３】
また、筐体Ａ１の外部には、筐体Ａ１内に外気を送り込む吸気器２、筐体Ａ１内で生成された害虫駆除成分の一例であるギ酸Ｆを、吸気器２から取込まれた外気ＯＡと共に混合気体ＭＧとして筐体Ａ１外に排出するホース３、後述するギ酸生成器１０を加熱する加熱部４、及び吸気器２を稼動させるためのバッテリー５が設けられている。
【００３４】
また、容器体Ａ１１は、載置台Ａ２上に載置した状態において上方が開口した、中空構造に形成されており、内部には、害虫駆除成分の一例であるギ酸Ｆを生成するギ酸生成部１が設けられている。そして、容器体Ａ１１の上端縁Ａ１１ａには、全周にわたって上端縁Ａ１１ａから容器体Ａ１１内に向けて略水平に延出した支持部Ａ１１ｂが設けられると共に、遮蔽板Ａ１３から、側面Ａ１１ｇ側に向けて延出し、かつ、支持部Ａ１１ｂと略同一面上に補助支持部Ａ１１ｉが設けられている。
【００３５】
また、ギ酸生成部１は、遮蔽板Ａ１３と側面Ａ１１ｇの間であって、上端部Ａ１１ａ寄りに設けられた、ギ酸Ｆを生成可能なギ酸生成器１０と、遮蔽板Ａ１３と容器体Ａ１１の吸気器２側の側面Ａ１１ｄの間に設けられ、吸気器２からの外気を一時的に滞留させる滞留室１１からなる。なお、滞留室１１は、遮蔽板Ａ１３と側面Ａ１１ｄの間の空間である。遮蔽板Ａ１３は、容器体Ａ１１の平面視略中央に、側面Ａ１１ｄ及び側面Ａ11ｇと略平行に配置されているが、これに限られるものではなく、例えば、遮蔽板Ａ１３の位置を側面Ａ１１ｄ若しくは側面Ａ11ｇのいずれ一方に寄せて設けることもでき、これにより、筐体Ａ１内に流入した外気ＯＡの流れの強さを変えることもできる。
【００３６】
ギ酸生成器１０は、開口した側の４辺の縁部１０ａに、外側に向けて略水平に延出した被支持部１０ｂが設けられており、被支持部１０ｂは、容器体Ａ１１の支持部Ａ１１ｂ及び補助支持部Ａ１１ｉ上に重ねられ、これにより、ギ酸生成器１０は、容器体Ａ１１内に着脱可能に係合される。
【００３７】
また、このとき、ギ酸生成器１０内の深さは、容器体Ａ１１の深さの約半分であるため、ギ酸生成器１０の底板１０ｃと、容器体Ａ１１の底板Ａ１１ｃとの間には、図３に示すように、燃焼室１０ｄが形成されている。なお、ギ酸生成器１０内の深さは、容器体Ａ１１の深さの半分に限られるものではないが、加熱部４のノズル４１から噴射される炎４２の高さを考慮すると、約半分にするのが望ましい。
【００３８】
また、一方、吸気器２で取込んだ外気は所定の流れの強さを有しており、このような外気を直接ギ酸生成器１０に送ると、ギ酸Ｆの前駆体であるシュウ酸ＯＸが筐体外に排出されてしまう。このため、吸気器２から取込まれた外気ＯＡを、滞留室１１で一時的に滞留させ、その流れを緩やかにしてギ酸生成器１０に流入させることができるように、滞留室１１はギ酸生成器１０よりも吸気器２寄りに設けられている。
【００３９】
これにより、ギ酸Ｆの前駆体であるシュウ酸ＯＸが筐体Ａ１外に排出され難くなり、シュウ酸ＯＸから生成されるギ酸Ｆの量が低下することがなく、効率よく害虫を駆除することができる。また、外気ＯＡを取込む強さを調整する必要がないので、調整する手間が省かれて、簡単に操作することができる。なお、シュウ酸ＯＸは人体にとって危険な物質であるため、取り扱いには充分な注意が必要である。
【００４０】
また、遮蔽板Ａ１３の、支持部Ａ１１ｂを基準として支持部Ａ１１ｂより上側は、滞留室１１からギ酸生成器１０への外気ＯＡの流れの一部を遮る遮蔽部Ａ１３ａとなっている。遮蔽部Ａ１３ａにより、ギ酸生成器１０に流入する外気ＯＡの流れの一部は遮られ、残りの外気ＯＡだけがギ酸生成器１０に流入する。このとき、外気ＯＡは、遮蔽部Ａ１３ａを乗り越えてギ酸生成器１０内に流入するので、外気ＯＡの流れの勢いは抑えられ、緩やかな流れになる。これにより、ギ酸生成器１０内のシュウ酸ＯＸがさらに筐体Ａ１外に排出され難くなる。
【００４１】
また、遮蔽部Ａ１３ａは、被支持部１０ｂを基準として上方に約４ｃｍの高さがあるが、この高さは４ｃｍに限られるものでない。滞留室１１からの外気ＯＡの一部を遮ることができればよく、適宜設定可能である。
【００４２】
また、蓋部Ａ１０は、下方が開口した中空構造であり、容器体Ａ１１の上部に載置され、容器体Ａ１１の開口部を覆って閉塞する。蓋部Ａ１０の、容器体Ａ１１と接する側の縁部Ａ１０ａには、ゴム素材などの弾力性のある素材（図示せず）が貼付されている。
【００４３】
これにより、容器体Ａ１１内にギ酸生成器１０が収容された状態で、容器体Ａ１１に蓋部Ａ１０を固定手段Ａ１２で押圧しながら重ねあわせると、ギ酸生成器１０の、支持部Ａ１１ｂ上に重ね合わされた被支持部１０ｂは、蓋部Ａ１０の縁部Ａ１０ａと容器体Ａ１１の支持部Ａ１１ｂの双方で挟持されるので、ギ酸生成器１０が筐体Ａ１内に強固に固定される。さらに、これにより、ギ酸生成器１０内で生成されたギ酸が燃焼室１０ｄに漏れることを抑制できる。
【００４４】
また、繰返しの使用により、ギ酸生成器１０が劣化する可能性も考えられ、ギ酸生成器１０は一定期間の使用後は取替える必要がある。この点については、上述したように、ギ酸生成器１０は、被支持部１０ｂと支持部Ａ１１ｂ及び補助支持部Ａ１１ｉとが重ね合わされて、容器体Ａ１１内で宙づり状態に取り付けられているので、容器体Ａ１から容易に取外すことができる。
【００４５】
また、蓋部Ａ１０の、吸気器２が設けられた側と反対側の側面Ａ１０ｂには、ギ酸生成器１内で生成されたギ酸Ｆと外気ＯＡの混合気体ＭＧを外部へ排出する排出口Ａ１０ｃが設けられている。これにより、ギ酸生成部１で生成されたギ酸Ｆは、排出口Ａ１０ｃからホース３を通じて外部に排出される。
【００４６】
また、吸気器２は湾曲したパイプ状の形状で、外気ＯＡを取込む吸気口２０と、吸気口２０の反対側に設けられた連結口２１を有する。容器体Ａ１１の吸気器２側の側面Ａ１１ｄには、連結管Ａ１１ｆが外部に突出して設けられており、連結管Ａ１１ｆの先端に、吸気器２の連結口２１が取付けられる。吸気口２０で取込まれた外気ＯＡは、吸気器２内を通り、さらに、連結口２１から連結管Ａ１１ｆを通って吸気口Ａ１１ｅから筐体Ａ１内に取込まれる。
【００４７】
そして、図３に示すように、吸気口Ａ１１ｅから筐体Ａ１内に流入した外気ＯＡは、滞留室１１内で一時的に滞留した後、蓋部Ａ１０内を移動し、遮蔽部Ａ１３ａを乗り越えてギ酸生成器１０側に流入する。このとき、ギ酸生成器１０内で発生した気体状のギ酸Ｆと共に、排出口Ａ１０ｃからホース３を通って外部に排出される。
【００４８】
なお、吸気口Ａ１１ｅが設けられる位置は容器体Ａ１１に限定されるものではなく、蓋部Ａ１０に設けても良い。ただし、滞留室１１で外気ＯＡの流れの勢いを充分に穏やかにするためには、容器体Ａ１１に設けることが望ましい。
【００４９】
また、排出口Ａ１０ｃが設けられる位置は蓋部Ａ１０に限定されるものではなく、容器体Ａ１１に設けても良い。ただし、シュウ酸を排出しにくくすると共に、気化したギ酸のみが排出されやすくするためには、上方に配置された蓋１０Ａに設けることが望ましい。
【００５０】
また、吸気口Ａ１１ｅと排出口Ａ１０ｃを筐体Ａ１の同じ側（例えば、双方とも吸気器２側）に設けても良い。ただし、混合気体ＭＧを効率的に排出するためには、ギ酸生成器１０を介してその両側に設けることが望ましい。
【００５１】
バッテリー５は、吸気器２を稼動させるための充電式のバッテリーであり、作業後は載置台Ａ２から取外して充電することで、繰返し使用できる。これにより、従来は屋外の作業であるため、電源として車載バッテリーを使用していたが、電源を確保する必要がなく、簡単に操作することができる。なお、吸気器２を稼動させるための電源は、充電式のバッテリーに限られるものではなく、例えば、電池式にするなども考えられる。
【００５２】
また、筐体Ａ１の吸気器２が設けられた側と反対側には、ギ酸生成器１０内で生成されたギ酸Ｆを外部へ排出するホース３が設けられ、ホース３の基端は、蓋部Ａ１０の側面Ａ１０ｂから外部に突出した接続管Ａ１０ｄに取付けられる。ギ酸生成器１０で生成されたギ酸Ｆと外気ＯＡの混合気体ＭＧは、側面Ａ１０ｂに設けられた排出口Ａ１０ｃから接続管Ａ１０ｄを通って筐体Ａ１外へ排出される。
【００５３】
また、ホース３の先端には、ギ酸Ｆと外気ＯＡの混合気体ＭＧを、噴霧対象物へ噴霧可能なノズルヘッド（図示せず）が設けられている。これにより、例えば、図４に示すように、ダニが寄生したハチの巣箱Ｃの巣門Ｃ１に、ホース３の先端を差込んで混合気体を巣箱Ｃ内に噴霧して、ハタラキバチＢに寄生したダニＭを駆除することができる。
【００５４】
また、載置台Ａ２は、筐体Ａ１を載置可能な載置面Ａ２０と、載置面Ａ２０を支える脚部材Ａ２１、Ａ２１が設けられている。また、載置台Ａ２の裏面Ａ２２には加熱部４が設けられており、加熱部４は、裏面Ａ２２に固定部材（図示せず）により固定され、可燃性ガスが封入されたガスボンベ４０と、可燃性ガスを噴出するノズル４１が設けられている。ノズル４１は、容器体Ａ１１の底板Ａ１１ｃに設けられた加熱用孔Ａ１１ｊから容器体Ａ１１内に挿入される。これにより、ノズル４１の先端は燃焼室１０ｄ内に位置する。
【００５５】
ガスボンベ４０を点火すると、図３に示すように、燃焼室１０ｄ内で炎４２が生じ、ギ酸生成器１０の底板１０ｃが温められて、底板１０ｃに配置されたシュウ酸ＯＸが加熱され、ギ酸Ｆが生成される。なお、ギ酸の前駆体はシュウ酸に限られるものではなく、他の物質も考えられる。また、害虫駆除成分はギ酸に限られるものではなく、他の物質も考えられる。
【００５６】
なお、シュウ酸ＯＸは加熱することで可燃性ガス（図示せず）を発生するため、ギ酸生成器１０を加熱すると、可燃性ガスに引火することが考えられる。このため、上述したように、ギ酸生成器１０を蓋体Ａ１０と容器体Ａ１１で挟持することにより、ギ酸生成器１０で発生した可燃性ガスが燃焼室１０ｄ内に流入することを抑制できるので、安全に使用することができる。
【００５７】
また、容器体Ａ１１の、排出口Ａ１０ｃが設けられた側の側面Ａ１１ｇの下部に４つの排出小孔Ａ１１ｈが設けられていることによって、燃焼室１０ｄで発生した燃焼ガスを排出することができる。また、ガスボンベ４０による加熱の様子を目視で確認できるので、これにより、わざわざ蓋Ａ１０を開けてギ酸生成部１０を容器体Ａ１１から取出して、加熱の状態を確認する手間を省くことができるので、ダニ駆除装置Ａを容易に操作することができる。
【００５８】
〔ダニ駆除装置Ａによるダニ駆除方法について〕
次に、図４及び図５を用いてダニ駆除装置Ａによるダニ駆除方法について説明する。ダニ駆除装置Ａによるダニ駆除方法は、以下の配置工程Ｓ１、閉塞工程Ｓ２、害虫駆除成分生成工程Ｓ３、確認工程Ｓ４、排出工程Ｓ５、噴霧工程Ｓ６から成る。
【００５９】
（配置工程Ｓ１）
まず、ダニ駆除装置Ａの使用者は、屋外に設置された巣箱Ｃの近傍で、ダニ駆除装置Ａの筐体Ａ１の蓋部Ａ１０を開ける。そして、容器体Ａ１１の内部に設けられたギ酸生成器１０内に、ダニ駆除成分であるギ酸Ｆの前駆体であるシュウ酸ＯＸを適量配置する。
【００６０】
（閉塞工程Ｓ２）
次に、配置工程Ｓ１でシュウ酸ＯＸが配置されたギ酸生成器１０を内部に入れた状態で蓋部Ａ１０を閉じて筐体Ａ１を閉塞する。先述したように、シュウ酸ＯＸは、体内に取込まれると、血液中の石灰分を奪取し、神経系を侵し、急性中毒症となる危険性がある物質であり、取扱いには充分な注意を要する。このため、ギ酸生成器１０内に入れ、さらにそのギ酸生成器１０を筐体Ａ１内に入れることで、シュウ酸ＯＸが筐体Ａ１内に閉じ込められ、容易に周囲に拡散するのを抑制できる。
【００６１】
（害虫駆除成分生成工程Ｓ３）
そして、閉塞工程Ｓ２で筐体Ａ１外からギ酸生成器１０に配置されたシュウ酸ＯＸを加熱して害虫駆除成分であるギ酸を生成する。ここで、ギ酸生成器１０内に配置されたシュウ酸ＯＸを加熱部４で加熱することで、シュウ酸ＯＸからギ酸Ｆを生成することができる。
【００６２】
（確認工程Ｓ４）
そして、害虫駆除成分生成工程Ｓ３で生成されたギ酸Ｆが筐体Ａ１の吸気口Ａ１１ｅから流出するのを確認する。なお、ギ酸Ｆが吸気口Ａ１１ｅから流出するのは、ギ酸Ｆの前駆体であるシュウ酸ＯＸの加熱を開始してから、約１〜２秒後である。
【００６３】
（排出工程Ｓ５）
そして、確認工程Ｓ４で、吸気口Ａ１１ｅからのギ酸Ｆの流出を確認した後、外気ＯＡを筐体Ａ１内に吸気する連結口２１を連結管Ａ１１ｆに取付けて吸気を開始する。このとき、ギ酸Ｆが発生する当初は、連結管Ａ１１ｆから吸気器２を外しておくことが望ましい。連結管Ａ１１ｆに吸気器２を取り付けた状態でギ酸Ｆが連結管Ａ１１ｆから流出すると、ギ酸Ｆが連結口２１から吸気器２内に流入し、内部に設けられたファン２２に接することで、シュウ酸ＯＸを加熱した際に生じるギ酸Ｆに含まれる不純物が、ファン２２に付着してしまい、ファン２２が充分に回転せず、故障の原因となるからである。
【００６４】
さらに、ファン２２を回転させて外気ＯＡを筐体Ａ１に向けて送りながら、連結管Ａ１１ｆに吸気器２を取り付ければ、吸気器２を連結管Ａ１１ｆに連結する際にも吸気器２のファン２２に、ギ酸Ｆの不純物が付着することをより確実に抑制できる。
【００６５】
そして、筐体Ａ１内に吸気された外気ＯＡと害虫駆除成分生成工程Ｓ３で生成されたギ酸Ｆの混合気体ＭＧを排出口Ａ１０ｃから排出する。これにより、吸気された外気ＯＡとギ酸Ｆの混合気体ＭＧを筐体Ａ１外に排出することができる。
【００６６】
（噴霧工程Ｓ６）
排出工程Ｓ５で排出された外気ＯＡとギ酸Ｆの混合気体ＭＧを、図４に示すように、ホース３の先端を巣箱Ｃの巣門Ｃ１から巣箱Ｃ内部に噴霧する。これにより、巣箱Ｃ内のハチＢ（主にセイヨウミツバチ）に寄生するダニＭ（主にミツバチヘギイタダニ）に噴霧することができる。噴霧時間は、巣箱一箱あたり、約２０秒である。なお、ダニＭは害虫の一例であるが、ダニＭはミツバチヘギイタダニに限定されるものではない。
【００６７】
また、このとき、巣門Ｃ１にホース３の先端を差込むだけでよいので、巣箱Ｃの蓋を開けて噴霧する手間を省くことができ、容易に混合気体を巣箱Ｃに噴霧することができる。
【００６８】
外気とギ酸の混合気体を噴霧されたダニＭはハチＢの身体から離脱して巣箱Ｃの底に落下し、大半は死ぬ。このようにして、ハチＢからダニＭを駆除することができる。
【００６９】
以上により、本発明に係る害虫駆除装置及び害虫駆除方法は、簡単な操作で、害虫を容易に駆除することができる。
【符号の説明】
【００７０】
Ａ  ダニ駆除装置
Ａ１    筐体
Ａ１０ｃ    排出口
Ａ１１ｅ    吸気口
１０    ギ酸生成器（害虫駆除成分生成部）
１１    滞留室（滞留部）
２    吸気器（吸気部）
３    ホース（排出部）
Ｆ    ギ酸（害虫駆除成分）
ＯＡ    外気
ＭＧ    混合気体
【図１】
0006953031.tif 000002
【図２】
0006953031.tif 000003
【図３】
0006953031.tif 000004
【図４】
0006953031.tif 000005
【図５】
0006953031.tif 000006